(57)【要約】基地局では、チップレート処理及びシンボルレート処理の両方が同じＤＳＰ内で実行される。これらのベースバンド処理動作に含まれるタスクは、所定のタスクを実行するために利用可能な機能を含むグループから選択される機能を用いて実行される。例えば、復調は、レイク受信機の機能又は適応的な等化の機能のいずれかを用いて実行可能であり、その選択は、例えば、利用可能なベースバンド処理能力、遅延拡散及び拡散係数のようなファクタに基づいて一般的な状況に従って行われる。
2005518130.tif 000002
【特許請求の範囲】
【請求項１】
電気通信信号のチップレート処理及びシンボルレート処理の両方を実行するディジタル信号処理手段を備えた電気通信ネットワークの基地局であって、上記ディジタル信号処理手段のベースバンド処理機能を変更してベースバンドタスクを異なる方法で実行する基地局。
【請求項２】
上記機能を変更することは、上記タスクを実行するために利用可能な機能を含むグループから１つの機能を選択することを含む請求項１記載の基地局。
【請求項３】
上記機能を変更することは、上記機能の動作を調整することを含む請求項１記載の基地局。
【請求項４】
上記基地局は、上記タスクを実行すべき対象である電気通信信号を供給するユーザ装置及び／又はチャンネルについて収集された情報に応答して、上記機能を変更するように構成された請求項１、２又は３記載の基地局。
【請求項５】
上記基地局は、上記電気通信信号に関する測定を実行して上記情報を取得するように構成された請求項４記載の基地局。
【請求項６】
上記ディジタル信号処理手段は上記収集を制御するように構成された請求項４又は５記載の基地局。
【請求項７】
上記ディジタル信号処理手段は、上記機能をどのように変更する必要があるのかを上記情報から決定する適応化手段を備えた請求項４、５又は６記載の基地局。
【請求項８】
上記機能をどのように変更する必要があるのかを上記情報から決定する制御手段をさらに備えた請求項４、５又は６記載の基地局。
【請求項９】
上記タスクは、上記基地局で受信される電気通信信号の復調である請求項１乃至８のうちのいずれか１つに記載の基地局。
【請求項１０】
上記タスクを実行する上記方法は、レイク受信機の技術と、適応的な等化の技術との少なくとも一方を含む請求項９記載の基地局。
【請求項１１】
上記基地局は、復調された信号に影響する雑音及び／又は干渉と、復調された信号の遅延拡散と、復調された信号のフェードレートと、復調された信号の拡散係数と、上記基地局内の利用可能なベースバンド処理能力とのうちの少なくとも１つに少なくとも部分的に基づいて上記機能の変更を制御するように構成された請求項９又は１０記載の基地局。
【請求項１２】
上記タスクは、上記基地局で受信される信号のマルチパス成分を検索することである請求項１乃至８のうちのいずれか１つに記載の基地局。
【請求項１３】
上記タスクを実行する上記方法は、検索の階層、更新間隔、範囲及び分解能のうちの少なくとも１つが選択されること許容する請求項１２記載の基地局。
【請求項１４】
上記基地局は、検索される信号のマルチパス成分の振幅と、検索される信号のマルチパス成分の発生及び消滅に係る統計値と、検索される信号のマルチパス成分の遅延拡散と、検索される信号の拡散係数と、検索される信号に影響する雑音及び／又は干渉と、検索されている受信信号を供給するユーザ装置又はチャンネルの検索履歴と、上記基地局内の利用可能なベースバンド処理能力とのうちの少なくとも１つに少なくとも部分的に基づいて上記機能の変更を制御するように構成された請求項１２又は１３記載の基地局。
【請求項１５】
上記タスクは、上記基地局で受信される電気通信信号を表す複数のレイクフィンガ出力を合成することである請求項１乃至８のうちのいずれか１つに記載の基地局。
【請求項１６】
上記タスクを実行する上記方法は、最尤合成器と、最大比合成器と、干渉の評価される統計的特性に依存した方法で上記複数のレイクフィンガを合成する機能とのうちの少なくとも１つを含む請求項１５記載の基地局。
【請求項１７】
上記基地局は、上記基地局で受信される電気通信信号に影響する雑音及び／又は干渉に少なくとも部分的に基づき上記機能の変更を制御するように構成された請求項１５又は１６記載の基地局。
【請求項１８】
上記タスクは、上記基地局で受信される電気通信信号を、レイク受信プロセスを用いて復調することである請求項１乃至８のうちのいずれか１つに記載の基地局。
【請求項１９】
上記タスクを実行する上記方法は、異なる数のレイクフィンガを用いて復調を実行することを含む請求項１８記載の基地局。
【請求項２０】
上記基地局は、復調された信号の遅延拡散と、復調された信号の拡散係数と、復調された信号に影響する雑音及び／又は干渉と、復調された信号に係る遅延拡散の履歴及び／又は統計値と、上記基地局における利用可能なベースバンド処理能力とのうちの少なくとも１つに少なくとも部分的に基づいて上記機能の変更を制御するように構成された請求項１８又は１９記載の基地局。
【請求項２１】
添付の図面を参照して以前に実質的に記載された基地局。
【発明の詳細な説明】
【技術分野】
【０００１】
本発明は電気通信ネットワークの基地局に関し、また、そのような基地局内における、チップレート及びシンボルレートの両方での電気通信信号のベースバンド処理に関する。
【背景技術】
【０００２】
図１は、従来のＣＤＭＡ基地局のベースバンド処理セクションにおけるコアとなる部分の構造を示す。図１に示すベースバンド処理セクションは、３つの基本的なサブセクションを有する。これらは、アップリンクのトラフィックチャンネルを処理するサブセクション１０と、アップリンクのランダムアクセスチャンネルを処理するサブセクション１２と、ダウンリンクのトラフィックチャンネルを処理するサブセクション１４とである。アップリンクのトラフィックチャンネルは、加入者装置から基地局へ音声及びデータを伝送する。アップリンクのランダムアクセスチャンネルは、加入者装置から基地局へ、制御情報と、関連付けられたデータとを伝送し、加入者装置による基地局へのランダムアクセスをサポートする。ダウンリンクのトラフィックチャンネルは、基地局から加入者装置へ音声及びデータを伝送する。基地局のベースバンド処理セクションには、例えば共通のダウンリンクチャンネルを処理したりするような他の部分も存在する。
【０００３】
アップリンクのトラフィックチャンネルを処理するサブセクション１０は、アップリンクのトラフィックチャンネルにおけるマルチパス成分を検出するマルチパス検索器１６と、アップリンクのトラフィックチャンネルにおいて受信された信号を逆拡散して異なるチャンネル経路を訂正しかつ合成された出力を形成するフィンガ処理セクション１８とを備えて構成される。アップリンクのトラフィックチャンネルを処理するサブセクション１０はまた、フィンガ処理セクション１８により出力された未加工データを、フォーマットされたアップリンクデータに変換するシンボルレート処理ステージ２０を備える。
【０００４】
アップリンクのランダムアクセスチャンネルを処理するサブセクション１２において実行される処理は、アップリンクのトラフィックチャンネルを処理するサブセクション１０において実行される処理に類似したものであるが、サブセクション１２におけるマルチパス検索器２２が、加入者装置により送信されたランダムアクセスバーストを検出するランダムアクセスチャンネル検出器も含むという点が異なる。ランダムアクセスチャンネルの検出は通常、ランダムアクセスプリアンブル検出器によって実行される。
【０００５】
ダウンリンクのトラフィックチャンネルを処理するサブセクション１４は、送信されるデータを符号化しかつフォーマットするシンボルレート処理セクション２４と、この後段に設けられ、シンボルレート処理セクション２４により出力される信号をチップレートで拡散させるチップレート処理セクション２６とを備える。
【０００６】
図１より明らかであるように、典型的なＣＤＭＡ基地局内で実行されるベースバンド処理は、２つの部分（又は部門）に、すなわち、チップレート処理動作を実行する第１の部分２８と、シンボルレート処理動作を実行する第２の部分３０とに分離されることが可能である。従来では、第１の部分２８のチップレート処理は、（例えば、複数のＡＳＩＣ又はＦＰＧＡの形式である）専用の電子的ハードウェアと、プログラミング可能なＤＳＰ処理との組み合わせを用いて実行される。第２の部分３０のシンボルレート処理は、通常、プログラミング可能なディジタル信号プロセッサと汎用プロセッサとを用いて実行される。従って、第１の部分２８のチップレート処理と第２の部分３０のシンボルレート処理とは、異なるデバイス上で実行される。一般に、このことは、ベースバンド処理セクションがディスクリートな電子デバイスから構成される場合、又はベースバンド処理を実行する専用のチップセットが開発されている場合にも当てはまる。
【発明の開示】
【発明が解決しようとする課題】
【０００７】
本発明は、基地局のベースバンド処理を実行する方法を改良しようとするものである。
【課題を解決するための手段】
【０００８】
本発明は、第１の態様によれば、電気通信信号のチップレート処理及びシンボルレート処理の両方を実行するディジタル信号処理手段を備えた電気通信ネットワークの基地局を提供し、上記基地局は、上記ディジタル信号処理手段のベースバンド処理機能を変更してベースバンドタスクを複数の異なる方法で実行する能力を有する。
【０００９】
従って、基地局のベースバンド処理セクションは、ベースバンド処理セクション及び基地局全体の効率を増大させるように調整可能である。
【００１０】
さらに本発明は、実質的に固定された構成でチップレート処理を実行しまたディジタル信号プロセッサにおいてソフトウェアでビットレート処理を実行するという硬直化した定式化からの移行を可能にする。
【００１１】
ある実施形態では、ベースバンド処理機能への変更は、この機能の動作を調整することを含む。例えば、レイク（rake）受信プロセスで使用されるフィンガの数を調整可能である。
【００１２】
もう１つの実施形態では、ベースバンド処理機能への変更は、上記タスクを実行するために利用可能な複数の機能を含むグループから１つの機能を選択することを含む。例えば、レイク受信機の機能と適応的な等化の機能とは両方とも、基地局にとって信号の復調を目的として利用可能なものであるが、基地局は、これらの２つの復調機能のうちで、一般的な条件下で使用するために最も適切なものを選択することができる。
【００１３】
基地局内でのベースバンド処理方式の調整は、いくつかの方法で開始可能である。例えば、基地局には、ディジタル信号処理手段にそのベースバンド処理ルーチンを調整するように命令するための制御手段を設けることが可能である。それに代わって、ディジタル信号処理手段を、基地局によって処理されている電気通信信号を供給するユーザ装置及び／又はチャンネルに関する情報を収集するように調整することも可能であり、ディジタル信号処理手段は次に上記情報を用いて、上記電気通信信号に対して作用する少なくとも１つのベースバンド処理機能を調整する。
【００１４】
ある好ましい実施形態では、本発明に係る基地局は、当該基地局で受信される電気通信信号を復調するために、レイク受信機を実装する機能を使用するか、又は適応的な等化を実行する機能を使用するかのいずれかを選択することができる。効果的には、どの復調機能を使用するかということについての選択は、復調される信号を供給するユーザ装置及び／又はチャンネルについてのディジタル信号処理手段により行われる評価に基づいて実行されてもよい。
【００１５】
以上では、基地局により実行されるベースバンド処理において変更を開始するか又は制御するために使用可能なパラメータのいくつかについて論じた。それに加えて、又は代替として、基地局は、基地局内のベースバンド処理リソースに対する需要と、その利用可能性とをモニタリングし、その評価の結果を用いて、ベースバンド処理を調整すべきか否かを決定することもできる。例えば、このような処理は、基地局内の利用可能なベースバンド処理能力（処理パワー）が、任意の一時点に実行される必要のある様々なベースバンド処理タスク間で公平に分配されることを保証するために使用することも可能である。
【００１６】
ある実施形態では、ディジタル信号処理手段はディジタル信号プロセッサ（digital signal processor：ＤＳＰ）である。もう１つの実施形態では、ディジタル信号処理手段は、上記チップレート処理及びシンボルレート処理を好ましくは動的な方法で共用するように構成された複数のＤＳＰを備える。これらの複数のＤＳＰは、チップレート処理及びシンボルレート処理を実行する単一でより強力なＤＳＰと同一視されるように、共に動作すべく構成され、又は配置されてもよい。
【００１７】
本発明に係る基地局は、好ましくはＵＭＴＳ基地局であるが、当業者には、基地局は別のタイプであってもよいということが明らかであろう。
【発明を実施するための最良の形態】
【００１８】
次に、添付の図面を参照して、本発明の一実施形態を例示としてのみ説明する。
【００１９】
図２の実施形態に係る基地局は、ＤＳＰ上に実装されてチップレート処理及びシンボルレート処理の両方を実行するように構成されたベースバンド処理セクション３２を有する。基地局は、ベースバンド処理セクション３２におけるベースバンド処理機能の調整を制御するための制御装置３４を含む。
【００２０】
ベースバンド処理セクションは、図１を参照して前述したチップレートのタスク及びシンボルレートのタスク等の様々なベースバンド処理タスクを実行する。ベースバンド処理セクション３２によって実行されるいくつかのタスクの各々に対しては、複数のプロセスを含む１つのグループが割り当てられる。グループ内のプロセスの各々は、グループに関連付けられたベースバンド処理タスクを実行する能力を有する。
【００２１】
図２は、特定のタスクを実行するためにグループ内のプロセスを選択する方法を示す。図２に示すように、アップリンクのトラフィックチャンネルを復調するベースバンド処理タスクを実行するために、２つのプロセス３６及び３８を含むグループが利用可能である。一方のプロセス３６は、レイク受信機の技術を用いて復調を実行し、他方のプロセス３８は、適応的な等化の技術を用いて復調を実行する。制御装置３４は、任意の与えられた時点においてプロセス３６及び３８のどちらを復調に使用すべきかを決定する。制御装置３４は、問題となっているアップリンクのトラフィックチャンネル上で動作するベースバンド処理セクション３２によって生成される、ユーザ装置（又はユーザ）及びチャンネルに特有の情報に基づいてこの決定を行う。制御装置３４により受信されるユーザ装置及びチャンネルに特有の情報は、復調された信号における遅延拡散と、復調された信号によって使用される拡散係数とを示す。復調された信号の遅延拡散が小さく（たかだか数チップ周期までであり）かつ復調された信号が小さい拡散係数を使用するときは、制御装置３４は、プロセス３８を使用するようにベースバンド処理セクション３２に命令する。すなわち、そのような条件下では、復調プロセスにおける等化器として適応的な等化のほうが良好に動作する可能性がある。他の状況下では、復調を実行するレイク受信機を実装するためにプロセス３６が使用される。
【００２２】
制御装置３４は、復調を実行するために、プロセス３６及び３８のうちの適切な一方を選択する。他のトラフィックチャンネルがアクティブである場合、制御装置３４はまた、これらのユーザ装置のために使用する適切な復調機能も選択する。従って、ベースバンド処理セクションは、第１のチャンネル上の第１のユーザ装置に対して例えばレイク受信機である第１の復調プロセスを使用し、異なるトラフィックチャンネル上の第２のユーザ装置に対して例えば適応的な等化である第２の復調プロセスを使用するように、制御装置３４により構成されることが可能である。
【００２３】
図２に示した実施形態に対する変形例では、プロセス３６及び３８のどちらを復調に使用するのかを制御装置３４が決定できるようにするために、ベースバンド処理セクション３２が制御装置３４へ異なるパラメータを供給してもよい。これらのパラメータは、例えば、復調された信号のフェードレートや、ＥＣ／Ｎ０及びＥＣ／Ｉ０の比のような復調された信号に影響する雑音を定量化するパラメータを含む。実際に、制御装置３４には、ベースバンド処理セクション３２によって供給可能な前述のパラメータの任意の１つ又はその任意のグループに応答して適切な復調技術を選択する規則を設けることが可能である。
【００２４】
図２の実施形態では、ベースバンド処理セクション３２内のベースバンド処理は、制御装置３４から発信される外部の制御信号に応答して調整される。しかしながら、制御装置３４は、ベースバンド処理セクション３２と同じディジタル信号プロセッサ上に実装されることが可能である。
【００２５】
図３の実施形態では、ベースバンド処理は、与えられたタスクを実行するために利用可能なグループから１つの機能を選択することによってではなく、ベースバンド機能が動作する方法を調整することにより変更されることが可能である。
【００２６】
図３の実施形態は、図２の場合のように、ベースバンド処理セクション４０の動作を制御するために制御装置４２を使用する。しかしながら、図３の実施形態では、制御装置４２は、ベースバンド処理セクション４０から供給されるユーザ装置／チャンネルに特有の情報が与えられたものとして、ベースバンド機能４４の性能を調整して当該機能の性能を調整するように構成される。この例において、機能４４は、基地局で受信される信号の復調に使用されるレイク受信機のプロセスである。制御装置４２は、ベースバンド処理セクションからの情報を用いて、レイク受信機のプロセスに何個のフィンガを使用するのかを決定するように構成される。
【００２７】
例えば、いくつかのユーザ装置は、支配的なマルチパス成分を少ない個数だけ有し、ゆえにおそらくは１個又は２個のフィンガのみがそれらに割り当てられることを必要とするという可能性がある。このことは、より多くのレイクフィンガを用いて検出されるべきいくつかのマルチパス成分にさらされる複数のユーザ装置のために、例えばほぼ等しい振幅の多数のマルチパス成分を有する基地局のセルのエッジ部における複数のユーザ装置のために、ディジタル信号処理能力を解放する。
【００２８】
フィンガの個数の割り当ては、基地局が新たなユーザ装置を捕捉するときに実行される。また、ユーザ装置によって経験されるチャンネル条件が変化する際に、フィンガの個数を動的に変更することも可能であろう。ユーザ装置に割り当てられるフィンガの個数を制御するために使用されるパラメータは、受信信号の遅延拡散と、受信信号へ適用される拡散係数と、ＥＣ／Ｎ０比と、ＥＣ／Ｉ０比と、最近の遅延拡散の履歴及び統計値と、チャンネルに係るいくつかの先行するユーザ装置にわたって平均化された上記履歴／統計値とを含む。
【００２９】
次に、構成可能にされることが可能な他のいくつかのタスクについて論じる。
【００３０】
受信信号に対して使用する最良のマルチパス成分検索方法は、特定のユーザ装置及びチャンネルを記述するいくつかのファクタに依存する。マルチパス成分検索方法を異なる方法で実行するための複数の機能を含むグループを提供可能であり、環境に依存して最も適切な機能を選択することができる。それに代わって、１つの機能を別の機能に交換するのではなく、マルチパス検索のタスクを実行する機能の動作を調整することもできる。マルチパス成分検索方法を実行するために利用可能なこれらの異なる方法は、当該方法に係る様々な特徴の選択を許容する。
【００３１】
検索方法の階層を選択可能にすることができる。ベースバンド処理セクションを、１つ、２つ又はそれ以上のレベルで実行する複数の機能のうちで選択するように構成することができる。複数レベルの検索階層においてレベル間の変更を制御するための規則のセットもまた、選択可能にすることができる。一例として、本システムは、一方のレベルがマルチパス成分における主要なシフトを検出するための粗い検索を実行し、もう一方のレベルがその成分を正確に位置決めしかつ小さな変化を追跡するための微細な検索を実行する、２レベルの階層の選択を許容することができる。検索を反復する間に経過する期間の選択を許容することもできる。階層の複数の異なる層のために異なる期間を選択することも許容できる。検索の範囲が選択可能にされることも許容できる。検索の範囲は、マルチパス成分について評価される時間的分布に依存して変更可能である。さらに、本システムは、検索の分解能が動的に選択されることを許容できる。例えば、本システムでは、０．２５、０．５及び１．０のチップ分解能の間での選択を許容できる。
【００３２】
検索方法の特定の態様に係る適切な性質の選択を制御するために使用可能な様々な基準が存在する。例えば、上記選択は、マルチパス成分の動きの振幅及び速度と、マルチパス成分の発生／消滅に係る統計値と、受信信号における遅延拡散と、受信信号へ適用される拡散係数と、ＥＣ／Ｎ０比と、ＥＣ／Ｉ０比と、特定のユーザ装置又はチャンネルの最近の検索履歴と、いくつかの先行するユーザ装置にわたって平均化されたチャンネルの履歴とによって制御されることが可能である。
【００３３】
個別のレイクフィンガの出力を合成するタスクもまた、選択可能な機能を含むグループとしての対象にされてもよい。例えば、最大比合成方式、最尤方式、又はチャンネルに影響する干渉の統計的特性の評価値に基づく最適合成方式を用いてフィンガの合成を実行するために、複数の機能を利用可能にすることができる。採用される機能の選択を、例えばチャンネルのＥＣ／Ｎ０比、ＥＣ／Ｉ０比又はビット誤り率によって指示することができる。
【００３４】
同様の方法で、他のベースバンド処理タスクも構成可能にすることができる。例えば、チャンネル推定方法を適応的にすることが可能である。これは、チャンネル推定のためのフィルタリング方法を変更すること、すなわち可変な忘却係数を実装することを含む可能性がある。基地局は、例えば、加入者装置への送信時に使用される電力を節約するための、及び／又は、基地局で受信される信号が同程度又は実質的に等しい電力レベルを有するように、加入者装置へその送信電力を調整するように命令するための、電力制御方式を実行するように構成されることが可能である。このような方式において送信電力レベルを調整するために使用されるステップサイズ及び更新間隔もまた、適応的にすることができる。同様に、複数のアンテナを用いる送信ダイバーシティ方式を、（トラフィックチャンネル検索方法に関する前述の議論と同様の方法における）ランダムアクセスチャンネル検索方法、自動周波数制御の更新頻度、及びチップレベル信号のサンプリングレートがそうであってもよいように、複数の選択可能な機能を用いて実装することが可能である。
【００３５】
与えられたベースバンド処理タスクを実行する方法の選択に影響を与えるために使用可能な別のファクタは、基地局内の利用可能なベースバンド処理能力である。例えば、システムは、ベースバンド処理能力に対する需要が高い条件下では、ベースバンド処理のリソースを最も節約する利用可能な方法のうちの１つでベースバンド処理タスクを実行するように指示することによって、消費されるベースバンド処理のリソース量を低減させることをシステムが目指すように構成されることが可能である。
【００３６】
選択可能な機能及び調整可能な機能に対する構成及び配置を別個に説明してきたが、ベースバンド処理ルーチンを構成するためのこのようなオプションは組み合わせ可能であることもまた明らかであろう。例えば復調に関しては、レイク受信機のプロセスと等化器との間での選択が実行可能であって、このとき、レイク受信機のプロセスに係る技術を使用することを選択した場合にレイク受信機のプロセスにおけるレイクフィンガの個数を調整可能であってもよい。
【図面の簡単な説明】
【００３７】
【図１】従来のＣＤＭＡ基地局内のベースバンド処理セクションの構成を示す図である。
【図２】本発明の一実施形態に係る、与えられたベースバンド処理タスクを実行する機能を選択できる方法を示すブロック図である。
【図３】本発明の一実施形態に係る、ベースバンド処理に対する調整を制御できる方法を示すブロック図である。
【図１】
2005518130.tif 000003
【図２】
2005518130.tif 000004
【図３】
2005518130.tif 000005
【手続補正書】
【提出日】平成16年5月24日(2004.5.24)
【手続補正１】
【補正対象書類名】特許請求の範囲
【補正対象項目名】全文
【補正方法】変更
【補正の内容】
【特許請求の範囲】
【請求項１】
電気通信信号のチップレート処理及びシンボルレート処理の両方を実行するディジタル信号処理手段を備えた電気通信ネットワークの基地局であって、
上記基地局は、与えられたベースバンドタスクを実行するいくつかの実行手段を利用可能であり、
上記基地局は、上記実行手段のうちの１つを選択し、次いで上記選択された実行手段を上記ディジタル信号処理手段を用いて動作させるように構成された基地局。
【請求項２】
上記基地局は、上記タスクを実行すべき対象である電気通信信号を供給するユーザ装置及び／又はチャンネルについて収集された情報に応答して、上記選択を実行するように構成された請求項１記載の基地局。
【請求項３】
上記基地局は、上記電気通信信号に関する測定を実行して上記情報を取得するように構成された請求項２記載の基地局。
【請求項４】
上記ディジタル信号処理手段は上記収集を制御するように構成された請求項２又は３記載の基地局。
【請求項５】
上記ディジタル信号処理手段は、上記情報に基づいて上記選択を実行するように構成された請求項２、３又は４記載の基地局。
【請求項６】
上記情報に基づいて上記選択を実行する制御手段をさらに備えた請求項２、３又は４記載の基地局。
【請求項７】
上記タスクは、上記基地局で受信される電気通信信号の復調である請求項１乃至６のうちのいずれか１つに記載の基地局。
【請求項８】
上記タスクを実行する上記実行手段は、レイク受信機の技術と、適応的な等化の技術との少なくとも一方を含む請求項７記載の基地局。
【請求項９】
上記基地局は、復調された信号に影響する雑音及び／又は干渉と、復調された信号の遅延拡散と、復調された信号のフェードレートと、復調された信号の拡散係数と、上記基地局内の利用可能なベースバンド処理能力とのうちの少なくとも１つに少なくとも部分的に基づいて上記タスクに係る実行手段を選択するように構成された請求項７又は８記載の基地局。
【請求項１０】
上記タスクは、上記基地局で受信される信号のマルチパス成分を検索することである請求項１乃至６のうちのいずれか１つに記載の基地局。
【請求項１１】
上記タスクを実行する上記実行手段は、検索の階層、更新間隔、範囲及び分解能のうちの少なくとも１つが選択されること許容する請求項１０記載の基地局。
【請求項１２】
上記基地局は、検索される信号のマルチパス成分の振幅と、検索される信号のマルチパス成分の発生及び消滅に係る統計値と、検索される信号のマルチパス成分の遅延拡散と、検索される信号の拡散係数と、検索される信号に影響する雑音及び／又は干渉と、検索されている受信信号を供給するユーザ装置又はチャンネルの検索履歴と、上記基地局内の利用可能なベースバンド処理能力とのうちの少なくとも１つに少なくとも部分的に基づいて上記タスクに係る実行手段を選択するように構成された請求項１０又は１１記載の基地局。
【請求項１３】
上記タスクは、上記基地局で受信される電気通信信号を表す複数のレイクフィンガ出力を合成することである請求項１乃至６のうちのいずれか１つに記載の基地局。
【請求項１４】
上記タスクを実行する上記実行手段は、最尤合成器と、最大比合成器と、干渉の評価される統計的特性に依存した方法で上記複数のレイクフィンガを合成する機能とのうちの少なくとも１つを含む請求項１３記載の基地局。
【請求項１５】
上記基地局は、上記基地局で受信される電気通信信号に影響する雑音及び／又は干渉に少なくとも部分的に基づき上記タスクに係る実行手段を選択するように構成された請求項１３又は１４記載の基地局。
【請求項１６】
上記タスクは、上記基地局で受信される電気通信信号を、レイク受信プロセスを用いて復調することである請求項１乃至６のうちのいずれか１つに記載の基地局。
【請求項１７】
上記タスクを実行する上記実行手段は、異なる数のレイクフィンガを用いて復調を実行することを含む請求項１６記載の基地局。
【請求項１８】
上記基地局は、復調された信号の遅延拡散と、復調された信号の拡散係数と、復調された信号に影響する雑音及び／又は干渉と、復調された信号に係る遅延拡散の履歴及び／又は統計値と、上記基地局における利用可能なベースバンド処理能力とのうちの少なくとも１つに少なくとも部分的に基づいて上記タスクに係る実行手段を選択するように構成された請求項１６又は１７記載の基地局。
【請求項１９】
添付の図面を参照して以前に実質的に記載された基地局。
【国際調査報告】
2005518130.tif 000006
2005518130.tif 000007
2005518130.tif 000008
2005518130.tif 000009
2005518130.tif 000010